(57)【要約】【課題】保持容量からの電流のリークによるフリッカーを低減させる。【解決手段】ソースが第１電源層と接続された駆動トランジスター１２１と、ソースが駆動トランジスター１２１のドレインと接続された発光制御トランジスター１２４と、一端が発光制御トランジスター１２４のドレインに接続され、他端が第２電源層に接続されたＯＬＥＤ素子１３０と、一端が駆動トランジスター１２１のゲートと接続され、他端が駆動トランジスター１２１のドレインと接続され、指定階調のデータ信号の電位に対応する電位を保持する第１保持容量１３２とを備え、駆動回路２０は、発光制御トランジスター１２４を制御することにより、１垂直走査期間内における所定期間ごとにＯＬＥＤ素子１３０の非発光期間を設け、当該所定期間内における当該非発光期間の割合を単調減少させる。【選択図】図８
2017227781.tif 000002
【特許請求の範囲】
【請求項１】
第１の方向に延在する第１の導電層と、
前記第１の方向と交差した第２の方向に延在する第２の導電層と、
前記第１の導電層と前記第２の導電層との各々の交差に対応して配列された画素回路と、
前記画素回路を駆動する駆動回路と、を備え、
前記画素回路は、
一端が第２電源層に接続された発光素子と、
ソースまたはドレインが第１電源層と接続され、前記第１電源層に接続されたソースまたはドレイン以外のソースまたはドレインが前記発光素子の他端と直接または間接に接続され、前記発光素子に対する駆動電流を生成する駆動トランジスターと、
一端が前記駆動トランジスターのゲートと接続され、他端が前記駆動トランジスターの前記ソースまたはドレインと接続され、指定階調のデータ信号の電位に対応する電位を保持する第１保持容量と、を備え、
前記駆動回路は、
垂直走査期間内における所定期間ごとに前記発光素子の非発光期間を設け、当該所定期間内における当該非発光期間の割合を単調減少させる、
ことを特徴とする電気光学装置。
【請求項２】
前記駆動回路は、使用者の操作に応じて前記所定期間内における前記非発光期間の長さを調整する調整部を備える、
ことを特徴とする請求項１に記載の電気光学装置。
【請求項３】
前記画素回路の温度を検出する温度検出部を備え、
前記駆動回路は、前記温度検出部により検出した温度に応じて、前記所定期間内における前記非発光期間の割合を変化させる、
ことを特徴とする請求項１または請求項２に記載の電気光学装置。
【請求項４】
第１の方向に延在する第１の導電層と、前記第１の方向と交差した第２の方向に延在する第２の導電層と、前記第１の導電層と前記第２の導電層との各々の交差に対応して配列された画素回路と、前記画素回路を駆動する駆動回路と、を備え、前記画素回路は、一端第２電源層に接続された発光素子と、ソースまたはドレインが第１電源層と接続され、前記第１電源層に接続されたソースまたはドレイン以外のソースまたはドレインが前記発光素子の他端と直接または間接に接続され、前記発光素子に対する駆動電流を生成する駆動トランジスターと、一端が前記駆動トランジスターのゲートと接続され、他端が前記駆動トランジスターの前記ソースまたはドレインと接続され、指定階調のデータ信号の電位に対応する電位を保持する第１保持容量と、を備え、
１垂直走査期間内における所定期間ごとに前記発光素子の非発光期間を設け、
前記所定期間内における当該非発光期間の割合を単調減少させる、
ことを特徴とする電気光学装置の駆動方法。
【請求項５】
請求項１ないし請求項３のいずれか一に記載の電気光学装置を備える電子機器。
【発明の詳細な説明】
【技術分野】
【０００１】
本発明は、電気光学装置、電気光学装置の駆動方法、および電子機器に関する。
【背景技術】
【０００２】
近年、有機ＥＬ（Electro Luminescent）素子や発光ポリマー素子などと呼ばれる有機発光ダイオード（Organic Light Emitting Diode、以下「ＯＬＥＤ」という）素子などの発光素子を用いた電気光学装置が各種提案されている（例えば特許文献１参照）。
【０００３】
特許文献１の電気光学装置は、画素回路内に、ＯＬＥＤ素子と、駆動トランジスターと、発光制御トランジスターと、スイッチング素子とを備える。特許文献１の電気光学装置は、書込期間においては、ＯＬＥＤ素子の指定階調に応じた画像データの電位がデータ線に出力される。このとき、スイッチング素子はオン状態に設定されるので、画像データの電位は、スイッチング素子を介して保持容量に書き込まれる。画像データの書込期間の後の発光期間においては、スイッチング素子がオフ状態に設定され、駆動トランジスターと発光制御トランジスターとはオン状態に設定される。これにより、保持容量に蓄積された電荷が駆動トランジスターと発光制御トランジスターを介してＯＬＥＤ素子に流れ込み、ＯＬＥＤ素子が発光する。
【先行技術文献】
【特許文献】
【０００４】
【特許文献１】特開２００９−２５４１３号公報
【発明の概要】
【発明が解決しようとする課題】
【０００５】
前記特許文献１の技術では、保持容量からの電流のリークが発生し、１垂直走査期間内においてＯＬＥＤ素子の発光強度が低下することによってフリッカーが発生することがあった。
以上の事情に鑑みて、本発明は、保持容量からの電流のリークによるフリッカーを低減させることのできる電気光学装置、電気光学装置の駆動方法、および電子機器を提供することを解決課題とする。
【０００６】
以上の課題を解決するために、本発明に係る電気光学装置の一態様は、第１の方向に延在する第１の導電層と、前記第１の方向と交差した第２の方向に延在する第２の導電層と、前記第１の導電層と前記第２の導電層との各々の交差に対応して配列された画素回路と、前記画素回路を駆動する駆動回路と、を備え、前記画素回路は、一端が第２電源層に接続された発光素子と、ソースまたはドレインが第１電源層と接続され、前記第１電源層に接続されたソースまたはドレイン以外のソースまたはドレインが前記発光素子の他端と直接または間接に接続され、前記発光素子に対する駆動電流を生成する駆動トランジスターと、一端が前記駆動トランジスターのゲートと接続され、他端が前記駆動トランジスターの前記ソースまたはドレインと接続され、指定階調のデータ信号の電位に対応する電位を保持する第１保持容量と、を備え、前記駆動回路は、１垂直走査期間内における所定期間ごとに前記発光素子の非発光期間を設け、当該所定期間内における当該非発光期間の割合を単調減少させる、ことを特徴とする。
【０００７】
前記態様においては、１垂直走査期間内における所定期間ごとに発光素子の非発光期間を設け、当該所定期間内における当該非発光期間の割合を単調減少させる。言い換えれば、当該所定期間内における発光期間の割合を単調増加させる。したがって、第１保持容量からのリーク電流により、１垂直走査期間内において発光素子の実際の輝度が単調減少する場合でも、実際の輝度に、所定期間に対する発光時間の比を乗じた値である見かけの輝度が平均化される。その結果、１垂直走査期間の始めと終わりの見かけの輝度の差が減少し、フリッカーを低減させる。
【０００８】
前記態様において、前記駆動回路は、使用者の操作に応じて前記所定期間内における前記非発光期間の長さを調整する調整部を備えてもよい。この態様によれば、実際の輝度の単調減少の程度が異なる場合であっても、フリッカーの状態を確認しながら、非発光期間の長さの調整が可能となっている。したがって、個々の第１保持容量の特性等が異なる場合でも、適切にフリッカーを低減させる。
【０００９】
前記態様において、前記画素回路の温度を検出する温度検出部を備え、前記駆動回路は、前記温度検出部により検出した温度に応じて、前記所定期間内における前記非発光期間の割合を変化させてもよい。この態様によれば、温度の変化によって第１保持容量からのリーク電流が変化し、実際の輝度の単調減少の程度が異なる場合であっても、検出した温度に応じて非発光期間の長さが決定される。その結果、温度変化に応じて、単位時間当たりの見かけの輝度を平均化することができ、フリッカーを低減することができる。
【００１０】
以上の課題を解決するために、本発明に係る電気光学装置の駆動方法の一態様は、第１の方向に延在する第１の導電層と、前記第１の方向と交差した第２の方向に延在する第２の導電層と、前記第１の導電層と前記第２の導電層との各々の交差に対応して配列された画素回路と、前記画素回路を駆動する駆動回路と、を備え、前記画素回路は、一端が第２電源層に接続された発光素子と、ソースまたはドレインが第１電源層と接続され、前記第１電源層に接続されたソースまたはドレイン以外のソースまたはドレインが前記発光素子の他端と直接または間接に接続され、前記発光素子に対する駆動電流を生成する駆動トランジスターと、一端が前記駆動トランジスターのゲートと接続され、他端が前記駆動トランジスターの前記ソースまたはドレインと接続され、指定階調のデータ信号の電位に対応する電位を保持する第１保持容量と、を備え、１垂直走査期間内における所定期間ごとに前記発光素子の非発光期間を設け、前記所定期間内における当該非発光期間の割合を単調減少させる、ことを特徴とする。以上の駆動方法によっても本発明に係る電気光学装置と同様の効果が得られる。
【００１１】
本発明の電子機器の一態様は、上述した電気光学装置を備える。そのような電子機器は、フリッカーの少ない高品質の画像表示が可能になる。
【図面の簡単な説明】
【００１２】
【図１】本発明の第１実施形態に係る電気光学装置の構成を示す斜視図である。
【図２】表示パネルのブロック図である。
【図３】画素回路の回路図である。
【図４】画素回路の動作を説明するための図である。
【図５】画素回路の動作を説明するための図である。
【図６】比較例における表示パネルに中間調の画像を表示させた際の任意の測定点における輝度計の出力波形を示す図である。
【図７】第１実施形態における各所定期間内の非発光期間を示す図である。
【図８】第１実施形態における各所定期間内の非発光期間と輝度との関係を示す図である。
【図９】本発明の第２実施形態に係る電気光学装置における表示パネルのブロック図である。
【図１０】本発明の変形例に係る画素回路の回路図である。
【図１１】変形例における表示パネルのブロック図である。
【図１２】変形例における画素回路の回路図である。
【図１３】本発明に係る電子機器の具体的な形態を示す斜視図である。
【図１４】本発明に係る電子機器の具体的な形態を示す斜視図である。
【図１５】本発明に係る電子機器の具体的な形態を示す斜視図である。
【発明を実施するための形態】
【００１３】
＜Ａ：第１実施形態＞
図１は、本発明の第１実施形態に係る電気光学装置１の構成を示す斜視図である。電気光学装置１は、画像を表示する表示パネル２と、表示パネル２の動作を制御する制御部５とを備える。
表示パネル２は、複数の画素回路と、当該画素回路を駆動する駆動回路とを備える。本実施形態において、表示パネル２が備える複数の画素回路及び駆動回路は、シリコン基板に形成され、画素回路には、発光素子の一例であるＯＬＥＤが用いられる。また、表示パネル２は、例えば、表示部で開口する枠状のケース５０１に収納されるとともに、ＦＰＣ（Flexible Printed Circuits）基板５０２の一端が接続される。
ＦＰＣ基板５０２には、半導体チップの制御部５が、ＣＯＦ（Chip On Film）技術によって実装されるとともに、複数の端子５０３が設けられて、図示省略された上位回路に接続される。
【００１４】
図２は、表示パネル２の概略構成を示すブロック図である。図２に示すように、表示パネル２は、複数の画素回路Ｐが配列された素子部１０と、各画素回路Ｐを駆動する駆動回路２０とを具備する。駆動回路２０は、走査線駆動回路２１と、データ線駆動回路２３と、電位生成回路２５とを含んで構成される。駆動回路２０は、例えば複数の集積回路に分散して実装される。ただし、駆動回路２０の少なくとも一部は、画素回路Ｐとともに基板上に形成された薄膜トランジスターで構成され得る。
【００１５】
素子部１０には、第１の方向としてのＸ方向に延在する第１の導電層としてのｍ本の走査線１２と、Ｘ方向に交差する第２の方向としてのＹ方向に延在する第２の導電層としてのｎ本のデータ線１６とが形成される（ｍ，ｎは自然数）。複数の画素回路Ｐは、走査線１２とデータ線１６との交差に配置されて縦ｍ行×横ｎ列の行列状に配列される。走査線駆動回路２１は、走査信号ＧWR[１]〜ＧWR[ｍ]を各走査線１２に出力する。データ線駆動回路２３は、各画素回路Ｐに指定される階調（以下「指定階調」という）に応じた画像データのデータ信号ＶＤ[１]〜ＶＤ[ｎ]を各データ線１６に出力する。
【００１６】
制御回路２５は、制御信号ＧEL[１]〜ＧEL[ｍ]を、後述する発光制御トランジスター１２４に対して出力する。詳しくは後述する。
【００１７】
図３は、画素回路Ｐの回路図である。画素回路Ｐは電気的にみれば互いに同一構成なので、ここでは、ｍ行ｎ列に位置する画素回路Ｐを例にとって説明する。図３に示されるように、画素回路Ｐは、ＰチャネルＭＯＳ型の駆動トランジスター１２１と、ＰチャネルＭＯＳ型の選択トランジスター１２２と、ＰチャネルＭＯＳ型の発光制御トランジスター１２４とを備える。また、画素回路Ｐは、発光素子としてのＯＬＥＤ素子１３０と、保持容量１３２とを備える。
【００１８】
選択トランジスター１２２は、ゲートが、ｍ行目の走査線１２に電気的に接続され、ソースまたはドレインの一方が、ｎ列目のデータ線１６に電気的に接続されている。また、選択トランジスター１２２は、ソースまたはドレインの他方が、駆動トランジスター１２１のゲートおよび保持容量１３２の一端にそれぞれ電気的に接続されている。また、選択トランジスター１２２のゲートには、走査線駆動回路２１からｍ行目の走査線１２を介して、走査信号ＧWR[ｍ]が供給される。すなわち、選択トランジスター１２２は、駆動トランジスター１２１のゲートとデータ線１６との間に電気的に接続され、駆動トランジスター１２１のゲートとデータ線１６との間の電気的な接続を制御する。
【００１９】
駆動トランジスター１２１は、ソースが第１電源層としての第１給電線１４に、ドレインが発光制御トランジスター１２４のソースに、それぞれ電気的に接続されている。ここで、第１給電線１４には、画素回路Ｐにおいて高電位側となる電源電圧ＶＥＬが給電される。この駆動トランジスター１２１は、駆動トランジスター１２１のゲート及びソース間の電圧に応じた電流を、発光制御トランジスター１２４を介してＯＬＥＤ素子１３０に供給する。
【００２０】
本実施形態において表示パネル２はシリコン基板に形成されるので、駆動トランジスター１２１、および選択トランジスター１２２の基板電位は電源電圧ＶＥＬとしている。
なお、上記における駆動トランジスター１２１および選択トランジスター１２２のソース、ドレインは駆動トランジスター１２１および選択トランジスター１２２のチャネル型、電位の関係に応じて入れ替わってもよい。また、トランジスターは薄膜トランジスターであっても電界効果トランジスターであってもよい。
【００２１】
発光制御トランジスター１２４は、ソースが駆動トランジスター１２１のドレインに、ドレインがＯＬＥＤ素子１３０のアノードに、それぞれ電気的に接続されている。発光制御トランジスター１２４のゲートには、制御線１７を介して、制御回路２５から制御信号ＧEL[ｍ]が供給される。発光制御トランジスター１２４は、駆動トランジスター１２１とＯＬＥＤ素子１３０の間に接続され、ＯＬＥＤ素子１３０の発光期間と非発光期間とを切り換える。
【００２２】
ＯＬＥＤ素子１３０のアノードは、画素回路Ｐごとに個別に設けられる画素電極である。これに対して、ＯＬＥＤ素子１３０のカソードは、各行の画素回路Ｐにわたって第２電源層としての共通の第２給電線１８と接続されている。
ＯＬＥＤ素子１３０は、前記シリコン基板において、ＯＬＥＤ素子１３０のアノードと光透過性を有するカソードとで白色有機ＥＬ層を挟持した素子である。そして、ＯＬＥＤ素子１３０の出射側（カソード側）にはＲＧＢのいずれかに対応したカラーフィルターが重ねられる。
【００２３】
このようなＯＬＥＤ素子１３０において、アノードからカソードに電流が流れると、アノードから注入された正孔とカソードから注入された電子とが有機ＥＬ層で再結合して励起子が生成され、白色光が発生する。このときに発生した白色光は、シリコン基板（アノード）とは反対側のカソードを透過し、カラーフィルターによる着色を経て、観察者側に視認される構成となっている。
【００２４】
第１保持容量としての保持容量１３２は、一端が駆動トランジスター１２１のゲートに、他端が第１給電線１４に、それぞれ電気的に接続されている。したがって、選択トランジスター１２２がオフしている間、駆動トランジスター１２１のゲート・ソース間の電圧は、保持容量１３２によって一定の値に保たれることになる。
【００２５】
より具体的には、走査線駆動回路２１がｍ行目の走査線１２を走査する水平走査期間において選択トランジスター１２２がオンして、図４に示すように、駆動トランジスター１２１のゲートノードにデータ信号ＶＤ[n]が供給される。図４は書込期間における画素回路Ｐの動作を説明するための図である。このように、本実施形態においは、書込期間において、選択トランジスター１２２をオン状態に設定して、画像データであるデータ信号ＶＤ[n]を駆動トランジスター１２１のゲートノードに出力する。
【００２６】
その後、選択トランジスター１２２がオフすると、駆動トランジスター１２１のゲートノードの電位は、保持容量１３２によって、データ信号ＶＤ[n]の示す電位に維持される。ここで、発光制御トランジスター１２４がオンすると、ＯＬＥＤ素子１３０には、図５に示すように、駆動トランジスター１２１のゲート・ソース間の電位に応じた電流が供給される。図５は発光期間における画素回路Ｐの動作を説明するための図である。このように、発光制御トランジスター１２４がオンしている期間において、ＯＬＥＤ素子１３０は、供給される電流に応じて発光することになる。つまり、発光制御トランジスター１２４がオンしている期間がＯＬＥＤ素子１３０の発光期間となる。
【００２７】
発光期間においては、ＯＬＥＤ素子１３０はデータ信号ＶＤ[n]に規定される階調を表示することになる。なお、保持容量１３２としては、駆動トランジスター１２１のゲートノードに寄生する容量を用いてもよいし、シリコン基板において互いに異なる導電層で絶縁層を挟持することによって形成される容量を用いてもよい。
【００２８】
一方、発光制御トランジスター１２４がオフすると、駆動トランジスター１２１から電流はＯＬＥＤ素子１３０に供給されず、ＯＬＥＤ素子１３０は非発光状態となる。つまり、発光制御トランジスター１２４がオフしている期間がＯＬＥＤ素子１３０の非発光期間となる。
【００２９】
仮に、選択トランジスター１２２をオフ状態にしてから、１フレームの期間（１垂直走査期間）の経過後に再び選択トランジスター１２２がオンするまでの間、発光制御トランジスター１２４を常にオンしていたとする。この場合、１フレームの期間が全てＯＬＥＤ素子１３０の発光期間となる。しかし、１フレームの期間内において保持容量１３２から電流が徐々にリークし、保持容量１３２の電位が低下する。図６は、比較例における表示パネル２に中間調の画像を表示させた際、任意の測定点における輝度を輝度計により測定し、オシロスコープに表示させた当該輝度計の出力波形を示すものである。図６に示すように、画素の輝度は１フレームの期間（１Ｖ）ごとに単調減少することがわかる。そして、１フレームの期間の初めの輝度と、１フレームの期間の終わりの輝度との輝度差がフリッカーとして認識される。
【００３０】
タルボットの法則（Talbot's law）により、約１０Ｈｚ以上の周波数で点滅する物体の見かけの輝度は、実際の輝度に，全時間に対する照射時間の比を乗じたものに等しくなることが知られている。したがって、実際の輝度が時間的に変化する場合に、見かけの輝度差を少なくするためには、実際の輝度が低くなるほど、全時間に対する照射時間を増加させればよいことが分かる。
【００３１】
そこで、本実施形態では、ＯＬＥＤ素子１３０を１フレームの全期間において発光させるのではなく、所定期間内に発光期間と非発光期間を設け、輝度の単調減少に対応させて、当該所定期間内における発光期間の割合を単調増加させるように構成した。言い換えれば、当該所定期間内における非発光期間の割合を単調減少させるように構成した。
【００３２】
例えば、図７に示すように、１フレームの期間（１Ｖ期間）を、第１期間Ｔ１、第２期間Ｔ２、第３期間Ｔ３、および第４期間Ｔ４に分け、各期間における非発光期間の割合を単調減少させる。図７は、一例として、ｉ行目の走査線１２に対応する画素回路Ｐの駆動トランジスター１２１のゲートノードにデータ信号ＶＤが出力され、当該走査線１２が書込みラインとなっている場合を示している。この場合、当該書込みラインに対応する１列目の画素回路Ｐにおける書込期間の開始から第１期間Ｔ１が開始する。第１期間Ｔ１の開始からの期間ｔaは、前記書込みラインに対応する画素回路ＰのＯＬＥＤ素子１３０を発光させる発光期間となる。つまり、当該画素回路Ｐの発光制御トランジスター１２４は、期間ｔaにおいてオンにする。第１期間Ｔ１の開始から期間ｔaが経過すると、その後の期間ｔ１は、前記画素回路ＰのＯＬＥＤ素子１３０を非発光とする非発光期間となる。つまり、当該画素回路Ｐの発光制御トランジスター１２４は、期間ｔ１においてオフにする。さらに、期間ｔ１経過後の期間ｔｂは、前記画素回路ＰのＯＬＥＤ素子１３０を発光とする発光期間となる。つまり、当該画素回路Ｐの発光制御トランジスター１２４は、期間ｔｂにおいてオンにする。
【００３３】
以下、同様にして、第２期間Ｔ２、第３期間Ｔ３、および第４期間Ｔ４のそれぞれにおいて、発光期間と非発光期間が設けられる。第２期間Ｔ２、第３期間Ｔ３、および第４期間Ｔ４における非発光期間は、それぞれ期間ｔ２、期間ｔ３、期間ｔ４である。第１期間Ｔ１から第４期間Ｔ４までの非発光期間の長さの関係は以下のようになっている。
ｔ１＞ｔ２＞ｔ３＞ｔ４＞
【００３４】
つまり、本実施形態においては、図８に示すように、１フレームの期間（１Ｖ期間）における輝度の単調減少に対応させて、第１期間Ｔ１から第４期間Ｔ４の各所定期間内における非発光期間ｔ１，ｔ２，ｔ３，ｔ４の割合を単調減少させている。言い換えれば、第１期間Ｔ１から第４期間Ｔ４の各所定期間内における発光期間の割合を単調増加させている。その結果、実際の輝度に、各所定期間に対する発光期間の比を乗じた見かけの輝度が平均化し、１フレームの期間の始めと終わりの見かけの輝度の輝度差を小さくすることができる。したがって、フリッカーを低減させることができる。
【００３５】
保持容量１３２のリーク電流は、個々の保持容量１３２の特性、または個々の表示パネル２の特性によっても異なるため、本実施形態では図２に示すように調整部２６を備えて非発光期間の長さの調整が可能になっている。調整部２６は、表示パネル２に設けられたボリューム等と接続されており、また、制御回路２５と接続されている。
表示パネル２の調整を行う際には、表示パネル２に所定の階調の画像を表示させ、表示パネル２に表示された画像を確認しながら、使用者がボリューム等を操作する。例えば、非発光期間の長さを増加させる方向にボリューム等が操作された場合には、調整部２６は、非発光期間ｔ１の長さを増加させる。制御回路２５は、調整部２６によって設定された非発光期間ｔ１の長さを基準として、他の非発光期間ｔ２，ｔ３，ｔ４を決定する。この場合も、第１期間Ｔ１から第４期間Ｔ４の各所定期間内における非発光期間ｔ１，ｔ２，ｔ３，ｔ４の割合を単調減少させる。
このように、本実施形態においては、表示パネル２のフリッカーの状態を確認しながら、非発光期間の長さの調整が可能となっている。したがって、個々の保持容量１３２の特性、または個々の表示パネル２の特性が異なる場合でも、適切にフリッカーを低減させることができる。
【００３６】
＜Ｂ：第２実施形態＞
本発明の第２実施形態について図面を参照しつつ説明する。図９は第２実施形態における表示パネル２の概略構成を示すブロック図である。図９に示すように、本実施形態においては、画素回路Ｐの温度を検出する温度検出部２７を備えている。温度検出部２７は、制御回路２５に接続されている。制御回路２５は、温度検出部２７により検出した温度に応じて、非発光期間ｔ１の長さを決定し、当該非発光期間ｔ１の長さを基準として、他の非発光期間ｔ２，ｔ３，ｔ４を決定する。この場合も、第１期間Ｔ１から第４期間Ｔ４の各所定期間内における非発光期間ｔ１，ｔ２，ｔ３，ｔ４の割合を単調減少させる。
【００３７】
保持容量１３２からのリーク電流は、温度が高い程多くなると考えられる。そこで、本実施形態においては、画素回路Ｐを含む表示パネル２の温度を温度検出部２７により検出し、制御回路２５は、検出した温度に応じて非発光期間の長さを決定する。例えば、検出した温度が所定温度を超えた場合には、非発光期間の長さを初期値によりも増加させる。その結果、保持容量１３２からのリーク電流に応じて、単位時間当たりの見かけの輝度を平均化することができ、フリッカーを低減することができる。
【００３８】
以上のように、本実施形態によれば、温度が変化した場合でも、適切にフリッカーを低減させることができる。
【００３９】
＜Ｃ：変形例＞
本発明は上述の各実施形態に限定されるものではなく、例えば、以下の変形が可能である。また、以下に示す変形例のうちの２以上の変形例を組み合わせることもできる。
【００４０】
（１）変形例１
上述した実施形態では、画素回路Ｐにおける駆動トランジスター１２１および選択トランジスター１２２をＰチャネル型で統一したが、Ｎチャネル型で統一しても良い。また、Ｐチャネル型及びＮチャネル型を適宜組み合わせても良い。
図１０は、駆動トランジスター１２１および選択トランジスター１２２をＮチャネル型で統一した例である。この場合には、駆動トランジスター１２１のゲートと、駆動トランジスター１２１と発光制御トランジスター１２４の接続ノードＮＤとの間に接続された保持容量１３３を設ける。また、接続ノードＮＤと接地電位が供給される電源線との間に接続された保持容量１３４を設ける。
【００４１】
各トランジスターをＮチャネル型で統一する場合には、上述した実施形態におけるデータ信号ＶＤ[n]とは正負が逆転した電圧を、各画素回路Ｐに供給すればよい。また、この場合、各トランジスターのソースおよびドレインは、上述した実施形態とは逆転した関係となる。
なお、上述した実施形態及び変形例では、各トランジスターはＭＯＳ型のトランジスターとしたが、薄膜トランジスターであってもよい。
【００４２】
（２）変形例２
発光素子は、ＯＬＥＤ素子であってもよいし、無機発光ダイオードやＬＥＤ（Light Emitting Diode）であってもよい。要は、電気エネルギーの供給（電界の印加や電流の供給）に応じて発光する総ての素子を本発明の発光素子として利用できる。
【００４３】
（３）変形例３
上述した実施形態においては、発光制御トランジスター１２４をオフさせることにより、ＯＬＥＤ素子１３０の非発光期間を設けていた。しかし、本発明はこのような構成に限定される訳ではなく、発光制御トランジスター１２４を備えていない画素回路Ｐにおいても、ＯＬＥＤ素子１３０の非発光期間を設けることができる。
図１１は、本変形例における表示パネル２の概略構成を示すブロック図である。図１１に示すように、本変形例の表示パネル２は、制御回路２５の代わりに電位生成回路２８を備えている。
電位生成回路２８は、高電位側の電源電圧ＶＥＬと、低電位側の電源電圧ＶＣＴとを生成する。電位生成回路２８は、ＯＬＥＤ素子１３０の発光期間においては各第１給電線１４に高電位側の電源電圧ＶＥＬを出力する。また、電位生成回路２８は、ＯＬＥＤ素子１３０の非発光期間においては各第１給電線１４に低電位側の電源電圧ＶＣＴを出力する。さらに、電位生成回路２８は、ＯＬＥＤ素子１３０の発光期間および非発光期間において各第２給電線１８に電源電圧ＶＣＴを出力する。
【００４４】
図１２は、本変形例における画素回路Ｐの回路図である。画素回路Ｐは電気的にみれば互いに同一構成なので、ここでは、ｍ行ｎ列に位置する画素回路Ｐを例にとって説明する。図１２に示されるように、画素回路Ｐは、ＰチャネルＭＯＳ型の駆動トランジスター１２１と、ＰチャネルＭＯＳ型のスイッチング素子としての選択トランジスター１２２と、ＯＬＥＤ素子１３０と、保持容量１３２とを備える。本変形例における画素回路Ｐは、発光制御トランジスター１２４を備えていない。
【００４５】
本変形例においては、走査線駆動回路２１がｍ行目の走査線１２を走査する水平走査期間中の書込期間において、選択トランジスター１２２をオンに設定して、画像データであるデータ信号ＶＤ[n]を駆動トランジスター１２１のゲートノードに出力する。
【００４６】
また、電位生成回路２８は、各第１給電線１４に高電位側の電源電圧ＶＥＬを出力する。その後、選択トランジスター１２２がオフすると、駆動トランジスター１２１のゲートノードの電位は、保持容量１３２によって、データ信号ＶＤ[n]の示す電位に維持される。したがって、駆動トランジスター１２１のゲート・ソース間の電位に応じた電流が供給される。ＯＬＥＤ素子１３０は、供給される電流に応じて発光することになる。つまり、電位生成回路２８が、各第１給電線１４に高電位側の電源電圧ＶＥＬを出力する期間がＯＬＥＤ素子１３０の発光期間となる。発光期間においては、ＯＬＥＤ素子１３０はデータ信号ＶＤ[n]に規定される階調を表示することになる。
なお、保持容量１３２としては、駆動トランジスター１２１のゲートノードに寄生する容量を用いてもよいし、シリコン基板において互いに異なる導電層で絶縁層を挟持することによって形成される容量を用いてもよい。
【００４７】
一方、電位生成回路２８が、各第１給電線１４に低電位側の電源電圧ＶＣＴを出力すると、駆動トランジスター１２１から電流はＯＬＥＤ素子１３０に供給されず、ＯＬＥＤ素子１３０は非発光状態となる。つまり、電位生成回路２８が、各第１給電線１４に低電位側の電源電圧ＶＣＴを出力する期間がＯＬＥＤ素子１３０の非発光期間となる。
【００４８】
本変形例では、ＯＬＥＤ素子１３０を１フレームの全期間において発光させるのではなく、電位生成回路２８から第１給電線１４に高電位側の電源電圧ＶＥＬと低電位側の電源電圧ＶＣＴとを出力することにより所定期間内に発光期間と非発光期間を設け、輝度の単調減少に対応させて、当該所定期間内における発光期間の割合を単調増加させるように構成する。言い換えれば、当該所定期間内における非発光期間の割合を単調減少させるように構成する。
【００４９】
本変形例においても、図１１に示すように調整部２６を備えて非発光期間の長さの調整が可能になっている。調整部２６は、表示パネル２に設けられたボリューム等と接続されており、また、電位生成回路２８と接続されている。
表示パネル２の調整を行う際には、表示パネル２に所定の階調の画像を表示させ、表示パネル２に表示された画像を確認しながら、使用者がボリューム等を操作する。例えば、非発光期間の長さを増加させる方向にボリューム等が操作された場合には、調整部２６は、非発光期間の長さを増加させる。電位生成回路２８は、調整部２６からの信号に応じて、第１給電線１４に低電位側の電源電圧ＶＣＴを出力する期間を増加させる。例えば、図７に示すように、電位生成回路２８は、調整部２６によって設定された非発光期間ｔ１の長さを基準として、第１期間Ｔ１から第４期間Ｔ４の各所定期間内における他の非発光期間ｔ２，ｔ３，ｔ４の割合を単調減少させる。
このように、本変形例においては、電位生成回路２８から第１給電線１４に低電位側の電源電圧ＶＣＴを出力する期間を調整することにより、表示パネル２のフリッカーの状態を確認しながら、非発光期間の長さの調整が可能となっている。したがって、個々の保持容量１３２の特性、または個々の表示パネル２の特性が異なる場合でも、適切にフリッカーを低減させることができる。
【００５０】
＜Ｄ：応用例＞
この発明は、各種の電子機器に利用され得る。図１３ないし図１５は、この発明の適用対象となる電子機器の具体的な形態を例示するものである。
【００５１】
図１３は本発明の電気光学装置を採用した電子機器としてのヘッドマウントディスプレイの外観を示す斜視図である。図１３に示されるように、ヘッドマウントディスプレイ３００は、外観的には、一般的な眼鏡と同様にテンプル３１０や、ブリッジ３２０、投射光学系３０１Ｌ、３０１Ｒを有する。図示を省略するが、ブリッジ３２０近傍であって投射光学系３０１Ｌ，３０１Ｒの奥側には、左眼用の電気光学装置１と、右眼用の電気光学装置１とが設けられる。
【００５２】
図１４は、電気光学装置を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００５３】
図１５は、携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。本発明はこのような携帯電話機にも適用可能である。
【００５４】
なお、本発明が適用される電子機器としては、図１３から図１５に例示した機器のほか、携帯情報端末（ＰＤＡ：Ｐｅｒｓｏｎａｌ  Ｄｉｇｉｔａｌ  Ａｓｓｉｓｔａｎｔｓ）が挙げられる。その他にも、デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末が挙げられる。さらに、プリンター，スキャナー，複写機，ビデオプレーヤー，タッチパネルを備えた機器等などが挙げられる。
【符号の説明】
【００５５】
１…電気光学装置、２…表示パネル、５…制御部、１０…素子部、１２…走査線、１４…第１給電線、１６…データ線、１８…第２給電線、２０…駆動回路、２１…走査線駆動回路、２３…データ線駆動回路、２５…制御回路、２６…調整部、２７…温度検出部、２８…電位生成回路、１２１…駆動トランジスター、１２２…選択トランジスター、１２４…発光制御トランジスター、１３０…ＯＬＥＤ素子、１３２…保持容量、ＧEL…制御信号、ＧWR…走査信号、ＮＤ…ノード、Ｐ…画素回路、ＶＤ…データ信号。
【図１】
2017227781.tif 000003
【図２】
2017227781.tif 000004
【図３】
2017227781.tif 000005
【図４】
2017227781.tif 000006
【図５】
2017227781.tif 000007
【図６】
2017227781.tif 000008
【図７】
2017227781.tif 000009
【図８】
2017227781.tif 000010
【図９】
2017227781.tif 000011
【図１０】
2017227781.tif 000012
【図１１】
2017227781.tif 000013
【図１２】
2017227781.tif 000014
【図１３】
2017227781.tif 000015
【図１４】
2017227781.tif 000016
【図１５】
2017227781.tif 000017